(57)【特許請求の範囲】
【請求項１】
向かい合う２つの側面部を有し、取水源から取水する取水路と、
前記取水路の側面部に開口し、前記取水路から分岐する取水ピットと、
前記取水ピットの貯留水を吸い込むポンプと、
前記取水ピットが開口する側面部とは反対側の側面部に設けられ、前記取水ピット側に突出する流水ガイド部と、
前記取水ピットの幅方向の中間部に配置され、前記取水ピットに流入する取水流を分割する仕切部材と、を有することを特徴とするプラントの取水設備。
【請求項２】
前記流水ガイド部は、前記取水路の側面から前記取水ピット側に突出する突出部を有することを特徴とする請求項１に記載のプラントの取水設備。
【請求項３】
前記突出部は、前記取水路の側面から前記取水路における流水方向の下流に向かうと共に前記取水ピット側に向かうガイド面を有することを特徴とする請求項２に記載のプラントの取水設備。
【請求項４】
前記取水ピットは、前記取水路に対して前記取水路における流水方向の下流側に傾斜して分岐し、前記ガイド面は、先端部が前記取水ピットより前記取水路における流水方向の上流側に配置されることを特徴とする請求項３に記載のプラントの取水設備。
【請求項５】
前記取水ピットの分岐部における前記取水路における流水方向の上流側に前記取水路の幅が広くなる拡幅部が設けられることを特徴とする請求項１から請求項４のいずれか一項に記載のプラントの取水設備。
【請求項６】
前記ポンプは、前記取水ピットに１つ配置され、前記仕切部材の下流側に配置されることを特徴とする請求項１から請求項５のいずれか一項に記載のプラントの取水設備。
【請求項７】
前記ポンプは、前記仕切部材の下流側の端部に対向して配置されることを特徴とする請求項６に記載のプラントの取水設備。
【請求項８】
前記取水路は、２つの前記側面部が互いに平行である請求項１からことを特徴とする請求項１から請求項７のいずれか一項に記載のプラントの取水設備。
【請求項９】
前記取水ピットは、前記取水路と開口している部分と反対側の端部が閉塞し、前記取水路と接続している開口部以外が、壁面で囲われていることを特徴とする請求項１から請求項８のいずれか一項に記載のプラントの取水設備。
【請求項１０】
前記取水ピットは、側面部が取水路の側面部に対して略直角となることを特徴とする請求項１から請求項９のいずれか一項に記載のプラントの取水設備。
【請求項１１】
前記取水路は、一端部が取水源と連通し、他端部がプラントに取り付けられた復水器の近傍に延出されていることを特徴とする請求項１から請求項１０のいずれか一項に記載のプラントの取水設備。
【発明の詳細な説明】
【技術分野】
【０００１】
本発明は、原子力発電や火力発電などの各種プラントで使用する冷却水を取り込むためのプラントの取水設備に関するものである。
【背景技術】
【０００２】
原子力発電プラントや火力発電プラントでは、蒸気を用いて蒸気タービンを駆動することから、復水器により使用済みの蒸気を冷却して復水として戻している。そのため、このような発電プラントでは、海岸や河川の近傍に取水設備を設置し、海水や河川水を冷却水として使用している。例えば、循環水ポンプにより海水を取り込んでタービン建屋内の復水器へ供給し、タービンから排出された蒸気を冷却している。
【０００３】
このようなプラントの取水設備は、海岸や河川の取水口から復水器の近傍まで取水路が設けられ、この取水路から分岐して取水ピットが設けられている。そして、この取水ピットに上述した循環水ポンプが配置されている。
【０００４】
このような取水設備として、例えば、下記特許文献に記載されたものがある。特許文献１に記載されたポンプ場の流入水路は、主水路から分岐して分流路を形成し、この分流路の奥部にポンプを設置した吸水槽を設けたものである。また、特許文献２に記載されたポンプ場の流入水路は、河川に対して斜めになる斜行部を形成し、この斜行部の下流に連続して河川に平行な導入部を形成し、導入部の下流に複数のポンプを設置した吸水槽を設け、斜行部と導入部の境界曲り部の付近の幅方向外側に偏流防止突出部を幅方向の内側に向けて突設したものである。
【先行技術文献】
【特許文献】
【０００５】
【特許文献１】特開平０７−２２９１３２号公報
【特許文献２】特開平０７−１８０１２９号公報
【発明の概要】
【発明が解決しようとする課題】
【０００６】
従来の取水設備は、取水路から分岐して取水ピットが設けられ、その奥部にポンプが配置されているため、冷却水が取水路から取水ピットに取り込まれるとき、慣性力によりその内側と外側で取水量が相違し、取水ピット内で偏流が発生してしまう。即ち、冷却水が取水路から取水ピットに流れるとき、屈曲角度の小さい内側で取水流量が少なくなり、屈曲角度の大きい内側で取水流量が多くなる。すると、取水ピット内を流れる冷却水の流速（流量）が幅方向で異なる速度分布となり、ポンプの取水口で水中渦が発生したり、また、水面より空気を巻き込んだりするおそれがある。
【０００７】
本発明は、上述した課題を解決するものであり、取水ピットにおけるポンプ周辺での渦の発生を抑制して適正に冷却水を取水可能とするプラントの取水設備を提供することを目的とする。
【課題を解決するための手段】
【０００８】
上記の目的を達成するための本発明のプラントの取水設備は、取水源から取水する取水路と、前記取水路から分岐する取水ピットと、前記取水ピットの貯留水を吸い込んで冷却系ラインに供給するポンプと、前記取水ピットの分岐部に対向する前記取水路の側部側に前記取水ピット側に突出する流水ガイド部と、を有することを特徴とするものである。
【０００９】
従って、取水路を流れる水は、取水ピットとの分岐部で、流水ガイド部により取水ピット側に案内されることから、取水ピットは、分岐部の内側を流れる流量と外側を流れる流量がほぼ均一化され、流れの偏りが抑制される。そのため、取水ピットにおけるポンプ周辺での渦の発生を抑制され、ポンプは、適正に冷却水を取水することができる。
【００１０】
本発明のプラントの取水設備では、前記流水ガイド部は、前記取水路の側面から前記取水ピット側に突出する突出部を有することを特徴としている。
【００１１】
従って、流水ガイド部を取水路の側面から突出する突出部とすることで、簡単な構成で容易に取水ピットにおける流れの偏りを抑制することができる。
【００１２】
本発明のプラントの取水設備では、前記突出部は、前記取水路の側面から前記取水路における流水方向の下流に向かうと共に前記取水ピット側に向かうガイド面を有することを特徴としている。
【００１３】
従って、突出部に取水路の側面から流水方向の下流に向かうと共に取水ピット側に向かうガイド面を設けることで、取水路を流れる水をガイド面により効果的に取水ピット側に案内することができる。
【００１４】
本発明のプラントの取水設備では、前記ガイド面は、先端部が前記取水ピットの延長領域内に配置されることを特徴としている。
【００１５】
従って、ガイド面の先端部を取水ピットの延長領域内に配置することで、取水路を流れる水の流れを乱すことなく適正に取水ピット側に案内することができる。
【００１６】
本発明のプラントの取水設備では、前記取水ピットは、前記取水路に対して前記取水路における流水方向の下流側に傾斜して分岐し、前記ガイド面は、先端部が前記取水ピットより前記取水路における流水方向の上流側に配置されることを特徴としている。
【００１７】
従って、取水路に対して取水ピットが傾斜して分岐するとき、ガイド面を取水ピットより上流側に配置することで、取水路を流れる水の流れを乱すことなく適正に取水ピット側に案内することができる。
【００１８】
本発明のプラントの取水設備では、前記取水ピットの分岐部における前記取水路における流水方向の上流側に前記取水路の幅が広くなる拡幅部が設けられることを特徴としている。
【００１９】
従って、取水ピットの分岐部における上流側に拡幅部を設けることで、取水路における流水ガイド部の近傍での圧力損失が軽減され、取水路を流れる水を適正に取水ピットに案内することができる。
【００２０】
本発明のプラントの取水設備では、前記取水路は、湾曲部を有し、前記取水ピットは、前記湾曲部の外側から分岐し、前記流水ガイド部は、前記湾曲部の側面であることを特徴としている。
【００２１】
従って、取水ピットを取水路の湾曲部の外側から分岐して設けることで、取水路を流れる水は、慣性力により取水ピット側に案内されることから、取水ピットにおける流れの偏りが抑制され、取水ピットにおけるポンプ周辺での渦の発生を抑制され、ポンプは、適正に冷却水を取水することができる。
【発明の効果】
【００２２】
本発明のプラントの取水設備によれば、取水路と、取水路から分岐する取水ピットと、取水ピットに設けられるポンプと、取水ピットの分岐部に対向する取水路の側部側に取水ピット側に突出する流水ガイド部とを設けるので、取水ピットにおけるポンプ周辺での渦の発生を抑制され、ポンプは、適正に冷却水を取水することができる。
【図面の簡単な説明】
【００２３】
【図１】図１は、第１実施形態のプラントの取水設備を表す平面図である。
【図２】図２は、プラントの取水設備を表す断面図である。
【図３】図３は、第２実施形態のプラントの取水設備を表す平面図である。
【図４】図４は、第３実施形態のプラントの取水設備を表す平面図である。
【図５】図５は、第４実施形態のプラントの取水設備を表す平面図である。
【図６】図６は、第５実施形態のプラントの取水設備の全体を表す平面図である。
【図７】図７は、プラントの取水設備を表す平面図である。
【発明を実施するための形態】
【００２４】
以下に添付図面を参照して、本発明のプラントの取水設備の好適な実施形態を詳細に説明する。なお、この実施形態により本発明が限定されるものではなく、また、実施形態が複数ある場合には、各実施形態を組み合わせて構成するものも含むものである。
【００２５】
［第１実施形態］
図１は、第１実施形態のプラントの取水設備を表す平面図、図２は、プラントの取水設備を表す断面図である。
【００２６】
第１実施形態において、図１及び図２に示すように、プラントの取水設備１０は、取水ピット１１を有し、取水源としての海から海水を冷却水として取水ピット１１に取り込んで貯留することができる。取水ピット１１は、循環水ポンプ１２が配置されており、この循環水ポンプ１２は、取水ピット１１の冷却水（海水）を取水することができる。循環水ポンプ１２は、取水ピット１１から取水した冷却水を復水器（図示略）に供給することができる。
【００２７】
プラントの取水設備１０は、一端部が取水源としての海に連通する取水路１１と、この取水路１１から分岐して設けられて冷却水を取り込む取水ピット１２と、取水ピット１２に設けられて冷却水を吸い込んで２次冷却系ラインに供給する循環水ポンプ１３と、取水ピット１２の分岐部に対向する取水路１１の側部側に取水ピット１２側に突出する流水ガイド部３１とを有している。ここで、取水ピット１２の分岐部とは、取水路１１の側面部１１ａと取水ピット１２の各側面部１２ａ，１２ｂとが交差する位置である。
【００２８】
取水路１１は、直線形状をなす通路であり、一端部が海に連通し、他端部がプラントに設けられた複数の復水器の近傍まで延出されている。取水ピット１２は、取水路１１の中途部から直角をなすように分岐して直線形状をなすように構成されている。取水ピット１２は、幅方向の中間部に仕切部材３２が設けられることで２個の分岐ピット３３，３４に区画されており、一端部が取水路１１に合流するように連通し、他端部が閉塞している。取水ピット１２（３３，３４）は、所定量の冷却水を貯留可能である。循環水ポンプ１３は、取水ピット１２に支持されており、取水口１４ａが取水ピット１２の底部の近傍まで延出されている。ここで、循環水ポンプ１３は、分岐ピット３３，３４の間で、仕切部材３２の端部に対向して配置されている。
【００２９】
また、取水ピット１２は、循環水ポンプ１３より取水路１１側に除塵装置３６が配置されている。除塵装置３６は、分岐ピット３３，３４にそれぞれ設けられるスクリーン３７，３８により構成されている。
【００３０】
取水路１１は、互いに平行をなす一方側の側面部１１ａと他方側の側面部１１ｂとを有し、取水ピット１２は、互いに平行をなす一方側の側面部１２ａと他方側の側面部１２ｂとを有している。そして、取水路１１における一方側の側面部１１ａと取水ピット１２における一方側の側面部１２ａとがほぼ直角をなして屈曲して連続し、取水路１１における他方側の側面部１１ｂと取水ピット１２における他方側の側面部１２ｂとがほぼ直角をなしている。
【００３１】
流水ガイド部３１は、取水路１１における他方の側面部１１ｂから取水ピット１２側に突出する突出部４１である。この突出部４１は、平面視にて、取水路１１の側面部１１ｂ側を底面とし、取水ピット１２側に高くなる略三角山形状をなしている。そして、この突出部４１は、取水路１１の側面１１ｂから取水路１１における流水方向の下流（図１にて、下方）側に向かうと共に取水ピット１２側に向かう第１ガイド面４２と、第１ガイド面４２の先端部にある頂部４３から取水路１１における流水方向の下流（図１にて、下方）側に向かうと共に、取水路１１の側面１１ｂ側に向かう第２ガイド面４４とが形成されている。
【００３２】
本実施形態にて、この第１ガイド面４２と第２ガイド面４４は、凹部形状をなす湾曲面であり、頂部は、凸部形状をなす湾曲面である。但し、第１ガイド面４２と第２ガイド面４４を凸部形状をなす湾曲面としたり、平坦な平面としたりしてもよい。
【００３３】
また、突出部４１は、頂部４３（第１ガイド面４２の先端部）が取水ピット１２の延長領域Ａ内に配置されている。即ち、突出部４１の頂部４３は、取水ピット１２の一方側の側面１２ａの延長線Ｌ１と、他方側の側面部１２ｂの延長線Ｌ２とに挟まれる延長領域Ａ内に位置する。この場合、突出部４１の頂部４３が、取水ピット１２における幅方向の中心線Ｌ３の延長上に配置されることが最適である。
【００３４】
そのため、取水路１１を流れる冷却水の主流Ｃ１は、取水路１１に沿って流れ、取水ピット１２との分岐部で、流水ガイド部４１により取水ピット１２側に案内される。すると、取水ピット１２は、仕切部材３２により仕切られた分岐ピット３３，３４に導入される取水流Ｃ２，Ｃ３がほぼ同量となる。即ち、取水路１１を流れる冷却水の主流Ｃ１は、側面部１１ｂ側を流れる冷却水が突起部４１の第１ガイド面４２により取水ピット１１側に案内され、この第１ガイド面４２による流れで冷却水の主流Ｃ１が取水ピット１２側に押され、特に、分岐ピット３３に導入される取水流Ｃ２の流量が増加する。すると、分岐ピット３３，３４に導入される取水流Ｃ２，Ｃ３がほぼ同量となり、分岐ピット３３，３４での流れの偏りが抑制される。そのため、取水ピット１２における循環水ポンプ１３の周辺での渦の発生が抑制される。
【００３５】
このように第１実施形態のプラントの取水設備にあっては、海から取水する取水路１１と、取水路１１から分岐する取水ピット１２と、取水ピット１２の貯留水を吸い込んで冷却系ラインに供給する循環水ポンプ１３と、取水ピット１２の分岐部に対向する取水路１１の側面部１１ｂ側に取水ピット１２側に突出する流水ガイド部３１とを設けている。
【００３６】
従って、取水路１１を流れる冷却水は、取水ピット１２との分岐部で、流水ガイド部３１により取水ピット１２側に案内されることから、取水ピット１２は、分岐部の内側（側面部１２ａ側）を流れる冷却水の流量と、外側（側面部１２ｂ側）を流れる冷却水の流量がほぼ均一化され、流れの偏りが抑制される。そのため、取水ピット１２における循環水ポンプ１３の周辺での渦の発生が抑制され、循環水ポンプ１３は、適正に冷却水を取水することができる。
【００３７】
第１実施形態のプラントの取水設備では、流水ガイド部３１は、取水路１１の側面部１１ｂから取水ピット１２側に突出する突出部４１を有している。従って、流水ガイド部３１を取水路１１の側面部１１ｂから突出する突出部４１とすることで、簡単な構成で容易に取水ピット１２における冷却水の流れの偏りを抑制することができる。
【００３８】
第１実施形態のプラントの取水設備では、突出部４１は、取水路１１の側面部１１ｂから取水路１１における流水方向の下流に向かうと共に取水ピット１２側に向かう第１ガイド面４２を有している。従って、取水路１１を流れる冷却水を第１ガイド面４２により効果的に取水ピット１２側に案内することができる。
【００３９】
第１実施形態のプラントの取水設備では、第１ガイド面４２の頂部４３を取水ピット１２の延長領域Ａ内に配置している。従って、取水路１１を流れる冷却水の流れを乱すことなく適正に取水ピット１２側に案内することができる。
【００４０】
［第２実施形態］
図３は、第２実施形態のプラントの取水設備を表す平面図である。なお、上述した実施形態と同様の機能を有する部材には、同一の符号を付して詳細な説明は省略する。
【００４１】
第２実施形態において、図３に示すように、プラントの取水設備５０は、一端部が取水源としての海に連通する取水路５１と、この取水路５１から分岐して設けられる取水ピット５２と、取水ピット５２に設けられる循環水ポンプ１３と、取水ピット５２の分岐部に対向する取水路５１の側面部に取水ピット５２側に突出する流水ガイド部３１とを有している。
【００４２】
本実施形態にて、取水ピット５２は、取水路５１に対して取水路５１における流水方向の下流側に傾斜して分岐し、流水ガイド部３１は、取水ピット５２の分岐部より取水路５１における流水方向の上流側に配置されている。ここで、取水ピット５２の分岐部とは、取水路５１の側面部５１ａと取水ピット５２の各側面部５２ａ，５２ｂとが交差する位置である。
【００４３】
取水ピット５２は、取水路５１の中途部から所定の傾斜角度θをなすように分岐して構成されている。この場合、取水路５１と取水ピット５２との傾斜角度θは、取水路５１の流水方向と取水ピット５２の流水方向との角度θが９０度よりも小さい鋭角に設定されている。取水ピット５２は、仕切部材３２により分岐ピット３３，３４が区画されており、閉塞した奥部に循環水ポンプ１３が配置されている。また、取水ピット５２は、循環水ポンプ１３より取水路１１側に除塵装置３６が配置されている。
【００４４】
取水路５１は、互いに平行をなす一方側の側面部５１ａと他方側の側面部５１ｂとを有し、取水ピット５２は、互いに平行をなす一方側の側面部５２ａと他方側の側面部５２ｂとを有している。そして、取水路５１における一方側の側面部５１ａと取水ピット５２における一方側の側面部５２ａとが傾斜角度θをなして屈曲して連続し、取水路５１における他方側の側面部５１ｂと取水ピット５２における他方側の側面部５２ｂとが傾斜角度θをなしている。
【００４５】
流水ガイド部３１は、取水路５１における他方の側面部５１ｂから取水ピット５２側に突出する突出部４１である。この突出部４１は、第１ガイド面４２と頂部４３と第２ガイド面４４が形成されている。この突出部４１は、頂部４３（第１ガイド面４２の先端部）が取水ピット５２の延長領域Ａ内に配置されている。即ち、突出部４１の頂部４３は、取水ピット５２の一方側の側面１２ａの延長線Ｌ１と、他方側の側面部５２ｂと取水路５１の一方側の側面部５２ａとの交点から取水路５１（側面部５１ａ，５１ｂ）に直交する方向への延長線Ｌ４とに挟まれる延長領域Ａ内に位置する。この場合、突出部４１の頂部４３が、取水ピット５２における幅方向の中心線Ｌ３の延長上に配置されることが最適である。
【００４６】
そのため、取水路５１を流れる冷却水の主流Ｃ１は、取水路５１に沿って流れ、取水ピット５２との分岐部で、流水ガイド部４１により取水ピット５２側に案内される。すると、取水ピット５２は、仕切部材３２により仕切られた分岐ピット３３，３４に導入される取水流Ｃ２，Ｃ３がほぼ同量となる。即ち、取水路５１を流れる冷却水の主流Ｃ１は、側面部５１ｂ側を流れる冷却水が突起部４１の第１ガイド面４２により取水ピット５１側に案内され、この第１ガイド面４２による流れで冷却水の主流Ｃ１が取水ピット５２側に押され、特に、分岐ピット３３に導入される取水流Ｃ２の流量が増加する。すると、分岐ピット３３，３４に導入される取水流Ｃ２，Ｃ３がほぼ同量となり、分岐ピット３３，３４での流れの偏りが抑制される。そのため、取水ピット５２における循環水ポンプ１３の周辺での渦の発生が抑制される。
【００４７】
このように第２実施形態のプラントの取水設備にあっては、海から取水する取水路５１と、取水路５１から傾斜するように分岐する取水ピット５２と、取水ピット５２の貯留水を吸い込んで冷却系ラインに供給する循環水ポンプ１３と、取水ピット５２の分岐部に対向する取水路５１の側面部５１ｂ側に取水ピット５２側に突出する流水ガイド部３１とを設けている。
【００４８】
従って、取水路５１を流れる冷却水は、取水ピット５２との分岐部で、流水ガイド部３１により取水ピット５２側に案内されることから、取水ピット５２は、分岐部の内側（側面部５２ａ側）を流れる冷却水の流量と、外側（側面部５２ｂ側）を流れる冷却水の流量がほぼ均一化され、流れの偏りが抑制される。そのため、取水ピット５２における循環水ポンプ１３の周辺での渦の発生が抑制され、循環水ポンプ１３は、適正に冷却水を取水することができる。
【００４９】
第２実施形態のプラントの取水設備では、取水ピット５２が取水路５１に対して取水路５１における流水方向の下流側に傾斜して分岐し、流水ガイド部３１の頂部４３が取水ピット５２より取水路５１における流水方向の上流側に配置されている。従って、取水路５１に対して取水ピット５２が傾斜して分岐するとき、第１ガイド面４２を取水ピット５２より上流側に配置することで、取水路５１を流れる水の流れを乱すことなく適正に取水ピット５２側に案内することができる。
【００５０】
［第３実施形態］
図４は、第３実施形態のプラントの取水設備を表す平面図である。なお、上述した実施形態と同様の機能を有する部材には、同一の符号を付して詳細な説明は省略する。
【００５１】
第３実施形態において、図４に示すように、プラントの取水設備６０は、取水路５１と、取水ピット５２と、循環水ポンプ１３と、流水ガイド部３１とを有している。また、プラントの取水設備６０は、取水ピット５２の分岐部における取水路５１における流水方向の上流側に取水路５１の幅が広くなる拡幅部６１が設けられている。
【００５２】
取水ピット５２は、取水路５１の中途部から所定の傾斜角度θをなすように分岐して構成されている。取水ピット５２は、仕切部材３２により分岐ピット３３，３４が区画されており、閉塞した奥部に循環水ポンプ１３が配置されている。また、取水ピット５２は、循環水ポンプ１３より取水路５１側に除塵装置３６が配置されている。
【００５３】
取水路５１は、一方側の側面部５１ａと取水ピット５２における一方側の側面部５２ａとが傾斜角度θをなして屈曲して連続しており、側面部５１ａと側面部５２ａとの交点に拡幅部６１が設けられている。この拡幅部６１は、側面部５１ａと側面部５２ａとの角部をカットするテーパ部であって、取水路５１から取水ピット５２の分岐ピット３３への流入幅が広くなるものである。
【００５４】
流水ガイド部３１は、取水路５１における他方の側面部５１ｂから取水ピット５２側に突出する突出部４１である。この突出部４１は、第１ガイド面４２と頂部４３と第２ガイド面４４が形成されている。この突出部４１は、頂部４３（第１ガイド面４２の先端部）が取水ピット５２の延長領域Ａ内に配置されており、頂部４３が、取水ピット５２における幅方向の中心線Ｌ３の延長上に配置されることが最適である。
【００５５】
そのため、取水路５１を流れる冷却水の主流Ｃ１は、取水路５１に沿って流れ、取水ピット５２との分岐部で、流水ガイド部４１により取水ピット５２側に案内される。すると、取水ピット５２は、仕切部材３２により仕切られた分岐ピット３３，３４に導入される取水流Ｃ２，Ｃ３がほぼ同量となる。即ち、取水路５１を流れる冷却水の主流Ｃ１は、側面部５１ｂ側を流れる冷却水が突出部４１の第１ガイド面４２により取水ピット５２側に案内され、この第１ガイド面４２による流れで冷却水の主流Ｃ１が取水ピット５２側に押され、特に、分岐ピット３３に導入される取水流Ｃ２の流量が増加する。ここで、取水路５１の側面部５１ａと取水ピット５２の側面部５２ａとの交点に拡幅部６１が設けられ、分岐ピット３３への流入幅が広くなるテーパ形状となっていることから、ここでの流れの圧力損失が軽減されて所水路５１から分岐ピット３３に冷却水が流れやすくなる。すると、分岐ピット３３，３４に導入される取水流Ｃ２，Ｃ３がほぼ同量となり、分岐ピット３３，３４での流れの偏りが抑制される。そのため、取水ピット５２における循環水ポンプ１３の周辺での渦の発生が抑制される。
【００５６】
このように第３実施形態のプラントの取水設備にあっては、取水ピット５２の分岐部における取水路５１における流水方向の上流側に取水路５１の幅が広くなる拡幅部６１を設けている。
【００５７】
従って、取水路５１を流れる冷却水は、取水ピット５２との分岐部で、流水ガイド部３１により取水ピット５２側に案内され、且つ、拡幅部６１により分岐ピット３３に流れやすくなることから、取水ピット５２は、分岐部の内側（側面部５２ａ側）を流れる冷却水の流量と、外側（側面部５２ｂ側）を流れる冷却水の流量がほぼ均一化され、流れの偏りが抑制される。そのため、取水ピット５２における循環水ポンプ１３の周辺での渦の発生が抑制され、循環水ポンプ１３は、適正に冷却水を取水することができる。
【００５８】
［第４実施形態］
図５は、第４実施形態のプラントの取水設備を表す平面図である。なお、上述した実施形態と同様の機能を有する部材には、同一の符号を付して詳細な説明は省略する。
【００５９】
第４実施形態において、図５に示すように、プラントの取水設備７０は、取水路５１と、取水ピット５２と、循環水ポンプ１３と、流水ガイド部３１とを有している。本実施形態にて、取水ピット５２は、取水路５１に対して取水路５１における流水方向の下流側に傾斜して分岐し、流水ガイド部３１は、取水ピット５２の分岐部より取水路５１における流水方向の下流側に配置されている。
【００６０】
流水ガイド部３１は、取水路５１における他方の側面部５１ｂから取水ピット５２側に突出する突出部４１である。この突出部４１は、第１ガイド面４２と頂部４３と第２ガイド面４４が形成されている。この突出部４１は、頂部４３が取水ピット５２における幅方向の中心線Ｌ３の延長部よりも取水路５１における流水方向の下流側に配置されている。
【００６１】
そのため、取水路５１を流れる冷却水の主流Ｃ１は、取水路５１に沿って流れ、取水ピット５２との分岐部で、流水ガイド部３１により取水ピット５２側に案内される。すると、取水ピット５２は、仕切部材３２により仕切られた分岐ピット３３，３４に導入される取水流Ｃ２，Ｃ３がほぼ同量となる。即ち、取水路５１を流れる冷却水の主流Ｃ１は、側面部５１ｂ側を流れる冷却水が突出部４１の第１ガイド面４２により取水ピット５２側に案内され、この第１ガイド面４２による流れで冷却水の主流Ｃ１が取水ピット５２側に押され、特に、分岐ピット３３に導入される取水流Ｃ２の流量が増加する。ここで、流水ガイド部３１が取水ピット５２の分岐部より下流側に設けられていることから、ここでの流れの圧力損失が増加して取水路５１の冷却水が流れにくくなる一方、取水路５１から分岐ピット３４に冷却水が流れやすくなる。すると、分岐ピット３３，３４に導入される取水流Ｃ２，Ｃ３がほぼ同量となり、分岐ピット３３，３４での流れの偏りが抑制される。そのため、取水ピット５２における循環水ポンプ１３の周辺での渦の発生が抑制される。
【００６２】
このように第４実施形態のプラントの取水設備にあっては、流水ガイド部３１を取水ピット５２の分岐部より取水路５１における流水方向の下流側に設けている。
【００６３】
従って、取水路５１を流れる冷却水は、取水ピット５２との分岐部で、流水ガイド部３１により取水ピット５２側に案内され、且つ、取水路５１側に流れにくくなることから、取水ピット５２は、分岐部の内側（側面部５２ａ側）を流れる冷却水の流量と、外側（側面部５２ｂ側）を流れる冷却水の流量がほぼ均一化され、流れの偏りが抑制される。そのため、取水ピット５２における循環水ポンプ１３の周辺での渦の発生が抑制され、循環水ポンプ１３は、適正に冷却水を取水することができる。
【００６４】
［第５実施形態］
図６は、第７実施形態のプラントの取水設備の全体を表す平面図、図７は、プラントの取水設備を表す平面図である。なお、上述した実施形態と同様の機能を有する部材には、同一の符号を付して詳細な説明は省略する。
【００６５】
第５実施形態にて、図６に示すように、取水路８１は、２個の湾曲部（屈曲部）８２，８３を有し、湾曲部８２の外側に取水ピット８４が設けられ、湾曲部８３の外側に取水ピット８５が設けられ、先端部に取水ピット８６が設けられている。そして、各取水ピット８４，８５，８６にプラントの取水設備８７，８８，８９が設けられている。
【００６６】
図７に示すように、プラントの取水設備８７は、取水路８１と、取水ピット８４と、取水ピット８４に設けられる循環水ポンプ１３と、取水ピット８４の分岐部に対向する取水路８１の側面部に取水ピット８２側に突出する流水ガイド部９１とを有している。
【００６７】
本実施形態にて、取水ピット８４は、取水路８１の湾曲部８２の外側から分岐して直線形状をなすように構成されている。取水ピット８４は、仕切部材３２により分岐ピット３３，３４が区画されており、閉塞した奥部に循環水ポンプ１３が配置されている。また、取水ピット８４は、循環水ポンプ１３より取水路８１側に除塵装置３６が配置されている。
【００６８】
取水路８１の湾曲部８２は、互いに平行をなす一方側の側面部８２ａと他方側の側面部８２ｂとを有し、取水ピット８４は、互いに平行をなす一方側の側面部８４ａと他方側の側面部８４ｂとを有している。そして、湾曲部８２における一方側の側面部８２ａと取水ピット８４における一方側の側面部８４ａとが屈曲して連続している。
【００６９】
本実施形態にて、流水ガイド部９１は、取水路８１の湾曲した他方側の側面部８２ｂである。流水ガイド部９１は、取水ピット８４の延長領域Ａ内に配置されている。即ち、流水ガイド部９１は、取水ピット８４の中心線Ｌ３と、他方側の側面部８４ｂと湾曲部８２の一方側の側面部８４ａとの交点から湾曲部８２に直交する方向への延長線Ｌ４とに挟まれる延長領域Ａ内に位置する。
【００７０】
なお、上述した各実施形態のように、湾曲部８２の側面部８２ａに流水ガイド部３１としての突出部４１を設けてもよい。
【００７１】
そのため、取水路８１の湾曲部８２を流れる冷却水の主流Ｃ１は、湾曲部８２に沿って流れ、取水ピット８４との分岐部で、流水ガイド部９１（側面部８２ｂ）により取水ピット８４側に案内される。すると、取水ピット８４は、仕切部材３２により仕切られた分岐ピット３３，３４に導入される取水流Ｃ２，Ｃ３がほぼ同量となる。即ち、取水路８１を流れる冷却水の主流Ｃ１は、湾曲部８２を流れることで慣性力が作用して取水ピット８１側に案内され、特に、分岐ピット３３に導入される取水流Ｃ２の流量が増加する。すると、分岐ピット３３，３４に導入される取水流Ｃ２，Ｃ３がほぼ同量となり、分岐ピット３３，３４での流れの偏りが抑制される。そのため、取水ピット８４における循環水ポンプ１３の周辺での渦の発生が抑制される。
【００７２】
このように第５実施形態のプラントの取水設備にあっては、海から取水する取水路８１と、取水路８１に設けられる湾曲部８２と、湾曲部８２から分岐する取水ピット８４と、取水ピット８４に設けられる循環水ポンプ１３と、取水ピット８４の分岐部に対向する湾曲部８２の側面部８２ｂ側に取水ピット８４側に突出する流水ガイド部９１とを設けている。
【００７３】
従って、取水路８１の湾曲部８２を流れる冷却水は、取水ピット８４との分岐部で、流水ガイド部９１により取水ピット８４側に案内されることから、取水ピット８４は、分岐部の内側（側面部８４ａ側）を流れる冷却水の流量と、外側（側面部８４ｂ側）を流れる冷却水の流量がほぼ均一化され、流れの偏りが抑制される。そのため、取水ピット８４における循環水ポンプ１３の周辺での渦の発生が抑制され、循環水ポンプ１３は、適正に冷却水を取水することができる。
【００７４】
第５実施形態のプラントの取水設備では、取水ピット８４が湾曲部８２の外側から分岐し、流水ガイド部９１を湾曲部８２の側面部８２ｂとしている。従って、湾曲部８２を流れる冷却水は、慣性力により取水ピット８４側に案内されることから、取水ピット８４における流れの偏りを抑制することができる。
【００７５】
なお、この実施形態では、プラントの取水設備８７について説明したが、プラントの取水設備８８についても同様である。
【００７６】
また、上述した第１から第４実施形態では、流水ガイド部３１を突出部４１として第１ガイド部４２と頂部４３と第２ガイド部４４とによりなる山形状としたが、第２ガイド部４４のない形状としてもよい。また、流水ガイド部３１をブロック形状とせずに、板形状としてもよい。
【００７７】
また、本発明のプラントの取水設備は、上述した実施形態の取水路及び取水ピットの形状や数に限定されるものではなく、原子力発電プラントの場所や形態に応じて適宜設定すればよいものである。
【００７８】
また、本発明のプラントの取水設備は、火力発電プラントや原子力発電プラント地熱発電プラントなどに適用することができる。
【符号の説明】
【００７９】
１０，５０，６０，７０，８７，８８  プラントの取水設備
１１，５１，８１  取水路
１１ａ，１１ｂ，５１ａ，５１ｂ，８２ａ，８２ｂ  側面部
１２，５２，８４，８５  取水ピット
１２ａ，１２ｂ，５２ａ，５２ｂ，８４ａ，８４ｂ  側面部
１３  循環水ポンプ
１３ａ  取水口
３１，９１  流水ガイド部
３２  仕切部材
３３，３４  分岐ピット
３５  天井部
３６  除塵装置
３７，３８  スクリーン
４１  突出部
４２  第１ガイド面
４３  頂部
４４  第２ガイド面
６１  拡幅部
８２，８３  湾曲部（屈曲部）
Ａ  延長領域
Ｃ１  主流
Ｃ２，Ｃ３  取水流
Ｌ１，Ｌ２，Ｌ４  延長線
Ｌ３  中心線
【図１】
0006634209.tif 000002
【図２】
0006634209.tif 000003
【図３】
0006634209.tif 000004
【図４】
0006634209.tif 000005
【図５】
0006634209.tif 000006
【図６】
0006634209.tif 000007
【図７】
0006634209.tif 000008